(57)【要約】      （修正有）【課題】容量タッチパネルの美観をそこねることがなく、下流側製造者は接合層や保護層を設ける必要がなく、従って、製造プロセスや材料費を節約することができるのみならず、電子装置の全体厚さを低減する容量タッチパネルを提供する。【解決手段】容量タッチパネルは透明基板１０とインク層２０を具備する。透明基板はインジウム錫酸化物（ＩＴＯ）層１１とリード線領域１２を有する。ＩＴＯ層は透明基板の底面上に形成され、その上に複数の電極が取り付けられている。リード線領域は、透明基板の底面の境界部に形成されており、その上には複数のリード線が取り付けられ、かつ、リード線は電極に電気的に接続されている。インク層が透明基板の上面上に取り付けられており、リード線領域と対応する。【選択図】図１
0003178603.tif 000002
【実用新案登録請求の範囲】
【請求項１】
１）透明基板であって、
i)上面と、
ii)底面と、
iii)前記底面上に形成され、かつその上に複数の電極を取り付けたインジウム錫酸化物（ＩＴＯ）層と、
iv)前記底面の境界部に形成されるリード線領域と、
v)前記リード線領域に取り付けられかつ前記ＩＴＯ層上の各電極に電気的に接続される複数のリード線と、を具備する前記透明基板と、
２）前記リード線領域と対応し、前期透明基板の上面に設けられるインク層と、を具備する容量タッチパネル。
【請求項２】
前記ＩＴＯ層は、
複数のＸ−軸電極を有し、かつ各Ｘ−軸電極が対応するリード線に電気的に接続されているＸ−軸検出領域と、
複数のＹ−軸電極を有し、かつ各Ｙ−軸電極が対応するリード線に電気的に接続されているＹ−軸検出領域と、から構成されることを特徴とする請求項１記載の容量タッチパネル。
【請求項３】
前記ＩＴＯ層は、それぞれ前記検出領域の４つの角部に取り付けられる４つの検出電極を有する検出領域を構成し、各検出電極は対応するリード線に電気的に接続されていることを特徴とする請求項１記載の容量タッチパネル。
【請求項４】
前記透明塗布層の全体が前記透明基板の上面及びインク層に形成されていることを特徴とする請求項１から３のいずれかに記載されている容量タッチパネル。
【請求項５】
１）透明基板であって、
i)上面と、
ii)底面と、
iii)前記底面上に形成され、かつその上に複数の電極を取り付けたインジウム錫酸化物（ＩＴＯ）層と、
iv)前記底面の境界部に形成されるリード線領域と、を具備する前記透明基板と、
２）前記透明基板の前記リード線領域に設けられ、前記ＩＴＯ層上の前記各電極に電気的に接続される複数のリード線を有する第１インク層と、を具備することを特徴とする容量タッチパネル。
【請求項６】
前記ＩＴＯ層は、
複数のＸ−軸電極を有し、かつ各Ｘ−軸電極が対応するリード線に電気的に接続されているＸ−軸検出領域と、
複数のＹ−軸電極を有し、かつ各Ｙ−軸電極が対応するリード線に電気的に接続されているＹ−軸検出領域と、から構成されることを特徴とする請求項５記載の容量タッチパネル。
【請求項７】
前記ＩＴＯ層は、それぞれ前記検出領域の４つの角部に取り付けられる４つの検出電極を有する検出領域を構成し、各検出電極は対応するリード線に電気的に接続されていることを特徴とする請求項５記載の容量タッチパネル。
【請求項８】
前記透明基板の上面に形成される第２インク層と、
全体が前記透明基板の上面と前記第２インク層に形成される透明塗布層とをさらに具備する請求項５から７のいずれかに記載の容量タッチパネル。
【考案の詳細な説明】
【技術分野】
【０００１】
本発明は、タッチパネル、特に容量タッチパネルに関する。
【背景技術】
【０００２】
タッチパネルの技術的発展と共に、スマートフォン、タブレットパーソナルコンピュータ（ＰＣ）、メディアプレイヤー（ＭＰ５）等の携帯電子装置はすべて、近年、より大きな占有空間を必要とする従来の機械的キーボードに代えて、タッチパネルを採用している。
【０００３】
携帯電子装置に多く用いられる現在のタッチパネルは、そのほとんどが、容量タッチパネルに係るものである。図８を参照して説明すると、従来のタッチパネル６０は、透明基板６１と、インジウム錫酸化物（ＩＴＯ）層６２と、リード線部６３と、複数の電極６４とを具備する。ＩＴＯ層６２は透明基板６１の底面に取り付けられている。リード線部６３は透明基板６１の底面の境界部分に形成されており、リード線部６３上に複数のリード線６５が取り付けられている。電極６４はＩＴＯ層６２上に取り付けられており、かつ、リード線６５に電気的に接続されている。上記したリード線は非透明なので、図９を参照して説明するように、電子装置の製造者は、保護層７０の底面の境界部にインク層７１を塗布によって形成する必要があり、接合層７２がタッチパネル６０の上面に取り付けられ、かつ保護層７０に接着されているので、保護層７０の底面上に設けたインク層７１がタッチパネル６０のリード線領域６３に対応し、タッチパネル６０のリード線領域上のリード線６５をマスクする。しかし、インク層７１と接合層７２を用いることは、製造プロセスと材料費の追加によって諸経費が高くなるだけでなく、さらに、電子装置の全体厚さが大きくなり、その結果、軽量で、薄く、かつコンパクトな携帯電子装置への要求を満たすことができなくなる。
【０００４】
本発明の目的は、タッチパネルにインク層を直接取り付け、下流側製造工程において求められる接続層と保護層を不要とする容量タッチパネルを提供することにある。
上記した目的を達成するために、容量タッチパネルは透明基板と、インク層とを具備する。
透明基板は、上面と、底面と、インジウム錫酸化物（ＩＴＯ）層と、リード線領域と、複数のリード線とを有する。
ＩＴＯ層は底面上に取り付けられ、その上には複数の電極が取り付けられている。
リード線領域は底面の境界部に形成されている。
リード線はリード線領域に取り付けられており、かつＩＴＯ層上の各電極と電気的に接続されている。
インク層はリード線領域と対応しており、透明基板の上面に取り付けられている。
上記構成に代えて容量タッチパネルは、透明基板と、第一インク層とを具備することもできる。
【０００５】
この場合、透明基板は、上面と、底面と、ＩＴＯ層と、リード線領域とを有する。
ＩＴＯ層は底面上に取り付けられ、ＩＴＯ層上に複数の電極が取り付けられている。
リード線領域は底面の境界部に形成されている。
第一インク層が透明基板のリード線領域上に取り付けられており、複数のリード線がＩＴＯ層上の各電極に電気的に接続されている。
【０００６】
従って、容量タッチパネルの透明基板の上面から見た場合、非透明第一インク層は透明基板の底面のリード線領域に設けられたリード線を遮蔽する。下流側製造者が電子装置を製造する際、タッチパネルに追加的に接続層と保護層とを取り付ける必要はない。従って、電子装置の製造における製造プロセスと材料費を低減できるのみならず、電子装置の全体厚さを薄くできる。
【先行技術文献】
【特許文献】
【０００７】
【特許文献１】特開２０１２−４３４０１号公報
【０００８】
本発明の他の目的、効果及び新規な技術的特徴は、添付図面を参照して説明される以下の発明の詳細な説明からより明らかとなる。
【図面の簡単な説明】
【０００９】
【図１】本発明にかかる容量タッチパネルの第１実施例の上面図である。
【図２】図１に示す容量タッチパネルの一部断面側面図である。
【図３】インク層を有しない透明基板を具備する図１に示す容量タッチパネルの底面図である。
【図４】本発明にかかるインク層を有しない透明基板を具備する容量タッチパネルの第２実施例の底面図である。
【図５】本発明にかかるインク層を有する透明基板を具備する容量タッチパネルの第三実施例の底面図である。
【図６】図５に示す容量タッチパネルの一部断面側面図である。
【図７】本発明にかかるインク層を有する透明基板を具備する容量タッチパネルの第四実施例の底面図である。
【図８】従来の容量タッチパネルの底面図である。
【図９】従来の容量タッチパネルの一部断面側面図である。
【００１０】
図１から図３を参照して説明すると、本発明にかかる容量タッチパネルの第一実施例は、透明基板１０と、インク層２０と、透明塗布層３０とを具備する。
【００１１】
透明基板１０は、上面と、底面と、ＩＴＯ層１１と、リード線領域１２と、複数のリード線１３とを有する。ＩＴＯ層１１は透明基板１０の底面上に取り付けられ、ＩＴＯ層１１上には複数の電極が取り付けられている。リード線領域１２は、透明基板１０の底面の境界部に形成されている。リード線１３がリード線部１２上に取り付けられ、リード線１３はＩＴＯ層１１上の各電極に電気的に接続されている。本実施例において、投影された容量タッチパネルを一例として説明すると、ＩＴＯ層１１はＸ−軸検出部１１１とＹ−軸検出部１１２とを有する。Ｘ−軸検出部１１１は複数のＸ−軸電極１４を具備し、各Ｘ−軸電極１４は対応するリード線１３に電気的に接続されている。Ｙ−軸検出部１１２は複数のＹ−軸電極１４’を具備し、各Ｙ−軸電極１４’は対応するリード線１３に電気的に接続されている。図４を参照して説明すると、本発明にかかる容量タッチパネルの第２実施例は表面容量タッチパネルにかかるものである。タッチパネルのＩＴＯ層１１は第１検出領域１１３を形成する。第１検出領域１１３には、その４つの角部に４つの検出電極１４”がそれぞれ取り付けらており、各検出電極１４”は対応するリード線１３に電気的に接続されている。
【００１２】
インク層２０は透明基板１０のリード線領域１２に対応し、透明電極１０の上面に設けられている。
【００１３】
透明塗布層３０が全て透明基板１０の上面とインク層２０上に設けられており、タッチパネルの表面のレベルを上げるとともに、タッチパネルを装飾している。
【００１４】
図５及び図６を参照して説明すると、本発明にかかる容量タッチパネルの第３実施例と本発明にかかる容量タッチパネルの第４実施例は、以下の点を除いて第１及び第２実施例と実質的に同じである。すなわち第３実施例と第４実施例では、インク層２０は透明基板１０の底面上に形成されたリード線領域１２上に設けられており、リード線１３はインク層２０に形成されており、透明基盤１０の上面上に第２インク層４０が設けられ、透明塗布層５０が全て透明基板１０の上面と第２インク層４０上に設けられている。
【００１５】
従って、容量タッチパネルの透明基板１０の上面から見た場合、非透明インク層２０は透明基板１０の底面のリード線領域１１に設けられたリード線を遮蔽する。下流側製造者が電子装置を製造する際、タッチパネルに追加的に接続層と保護層とを取り付ける必要はない。従って、電子装置の製造における製造プロセスと材料費を低減できるのみならず、電子装置の全体厚さを薄くできる。従って、軽量で、薄く、かつコンパクトな携帯電子装置への要求を満たすことができる。
【００１６】
本発明の多くの特徴及び効果を上記に説明してきたが、本発明の構成及び機能の詳細を含めて本発明の開示は例示的なものにすぎない。本発明は、その詳細については変更することができ、特に、構成要素の形状、寸法及び配置は、本発明の要旨を逸脱しない範囲で十分に変更することができ、添付クレームに表現されている用語の広汎な一般的意味に示される十分な範囲で変更することができる。
【図１】
0003178603.tif 000003
【図２】
0003178603.tif 000004
【図３】
0003178603.tif 000005
【図４】
0003178603.tif 000006
【図５】
0003178603.tif 000007
【図６】
0003178603.tif 000008
【図７】
0003178603.tif 000009
【図８】
0003178603.tif 000010
【図９】
0003178603.tif 000011